(57)【要約】【課題】本発明は、魚がルアーに食らいついた際、竿の引きに合わせてルアーを魚の口内でスムーズに滑させることができ、ルアーの釣針が口内に確実に根深く引っ掛けることができるルアーの提供を課題とする。【解決手段】ルアーＲは、魚餌に外形を似せて形成したルアー本体１と、ルアー本体１の周面に設けられた突条部材２と、突条部材２に設けられた金属製の釣針３とを備えてなる。突条部材２は、ルアー本体１の長さ方向に沿って流線形に伸びる態様で突出するとともに、ルアー本体１の周方向に所定間隔をあけながら５本配置される。【選択図】      図１
2008263911.tif 000002
【特許請求の範囲】
【請求項１】
魚釣りに用いられるルアーであって、
魚餌に外形を似せて形成したルアー本体と、
該ルアー本体の周面において、ルアー本体の長さ方向に沿って伸びる態様で突出するとともに、ルアー本体の周方向に所定間隔をあけながら複数配置される突条部材と、
前記ルアー本体または前記突条部材に設けられる釣針とを備えることを特徴とするルアー。
【請求項２】
前記突条部材は、金属製からなるものである請求項１に記載のルアー。
【請求項３】
前記突条部材は、長さ方向に沿って複数の略長円状孔が形成されている請求項１または請求項２に記載のルアー。
【請求項４】
前記突条部材は、互いにルアー本体の内部において接合されている請求項１ないし請求項３のいずれかに記載のルアー。
【請求項５】
前記突条部材は、最前部がルアー本体の前方において互いに接合されている請求項１ないし請求項４のいずれかに記載のルアー。
【請求項６】
前記突条部材は、それぞれルアー本体の後部において螺旋状に設けられている請求項１ないし請求項５のいずれかに記載のルアー。
【請求項７】
ルアーの最下部に位置する突条部材の前部が二股条に分かれる態様に形成され、それら二股状に分かれた突条部材間においてルアー本体が平面状に形成されている請求項１ないし請求項６に記載のルアー。
【請求項８】
前記ルアー本体部は、最前部において凹部が形成されている請求項１ないし請求項７のいずれかに記載のルアー。
【請求項９】
前記ルアー本体部と前記突条部材とは同じ材質で一体に製作されるものである請求項ないし請求項８のいずれかに記載のルアー。
【発明の詳細な説明】
【技術分野】
【０００１】
本発明は、魚釣りに用いられるルアー、特にカジキやろうにんあじなどの大型魚の釣りに好適なルアーに関する。
【背景技術】
【０００２】
一般に、ルアーは、魚やエビなどの魚餌に外形を似せたルアー本体を有し、このルアー本体に釣糸を係止するための釣糸係止部や、釣針を連結するための釣針連結部などが設けられている。このルアーの種類には、ポッパー、ペンシル、ミノー、ジグ、エギなど多種多様なものがあり、また様々に工夫が施されたものがある（例えば、特許文献１，２参照）。
【０００３】
釣り人は、ルアーに釣糸を係止し且つ釣針を連結し、リールを使ってルアーを水中に投じたあと、竿を上下左右に時折変化させながらリールを巻いていき、ルアーを本物の魚やエビが泳いでいるように見せかけ魚をおびき寄せる。
【０００４】
そして、魚がルアーに食らいついたときに、そのタイミングに合わせて竿を素早く釣り人の後方に引くと、それに伴ってルアーが魚の口内で滑るようにして前方で引かれ、その滑っていく過程においてルアーの釣針が魚の口内に根深く引っ掛かるのである。
【０００５】
【特許文献１】特許３８８４３２３号公報
【特許文献２】特許３８８３９０８号公報
【発明の開示】
【発明が解決しようとする課題】
【０００６】
しかしながら、通常、ルアーは樹脂や木材から形成されているために、魚がルアーに食らいついた際に魚の口がルアーにしっかりと食い込むことがあった。この場合、竿を素早く釣り人の後方に引いてルアーを前方に引いても、ルアーが魚の口内で滑ることなく、そのまま魚も引かれる状態となる。そして、その直後に危険を察知した魚が大きく口をあけると、ルアーの釣針が魚の口内に引っ掛かることなく、そのまま魚の口から抜け出てしまうという問題があった。特にカジキやろうにんあじ（ＧＴとも呼ばれる）などの大型魚にあっては、ルアーに対する噛力が大きいために、このような問題は無視できないものであった。
【０００７】
もとより、ルアーを硬度の高い金属等で形成すれば、魚の口がルアーに食い込むことを防止できるかもしれないが、それだとルアーの重量が重くなったり、その形状の選択に制限がかかったり、あるいはルアーの動きに支障を来すおそれがある。
【０００８】
本発明は、上記問題に鑑みたものであって、魚がルアーに食らいついた際、竿の引きに合わせてルアーを魚の口内でスムーズに滑させることができ、ルアーの釣針が口内に確実に根深く引っ掛けることができるルアーの提供を課題とする。
【課題を解決するための手段】
【０００９】
本発明は、上記課題を解決するために、魚釣りに用いられるルアーであって、魚餌に外形を似せて形成したルアー本体と、該ルアー本体の周面において、ルアー本体の長さ方向に沿って伸びる態様で突出するとともに、ルアー本体の周方向に所定間隔をあけながら複数配置される突条部材と、前記ルアー本体または前記突条部材に設けられる釣針とを備えることを特徴とする。
【００１０】
これによれば、魚がルアーに食らいついた際、魚は主にルアーの突条部材に接触することにより魚の口内とルアーと接触面積が小さくなり、魚の口内とルアーとの間の摩擦力を減少させることができる。このため、竿の引きに合わせてルアーを魚の口内でスムーズに滑らせることができ、ルアーの釣針を魚の口内に確実に根深く引っ掛けることが可能となる。
【００１１】
また、前記突条部材は、金属製からなるものであるのが好ましい。これによれば、突条部の硬度が大きくなるために魚の口が突条部材に対しても食い込むことも防止でき、魚の口内とルアーとの間の摩擦力をより一層減少させることができる。しかも、ルアーが水中で動作しているときに、突条部材が日光などを反射させるため、小魚がうろこをきらきらさせながら泳いでいるように見せかけることができ、より一層魚をおびき寄せることが可能となる。
【００１２】
また、前記突条部材は、長さ方向に沿って複数の略長円状孔が形成されているのが好ましい。これによれば、突条部材のいずれの長円状の孔にも釣針を連結し得るため、ルアーの所望の位置に釣針を配置することができる。しかも、釣針がルアーに揺動不可な状態で固定されると、ルアーの重みや跳ね返りで釣針が魚の口内から外れることがあるが、このように孔が長円状に形成されているため、釣針が魚の口内で揺動することにことにより不自然な力がかかることなく、魚の口内における釣針の抜けを軽減することができる。
【００１３】
また、前記突条部材は、互いにルアー本体の内部において接合されているのが好ましい。これによれば突条部材全体の強度を向上させることができ、特に噛力の大きいカジキやろうにんあじなどの大型魚にも十分対応できる。しかも突条部材の内部においてルアー本体を様々な大きさや形状で構成することができる。
【００１４】
また、前記突条部材は、最前部がルアー本体の前方において互いに接合されているのが好ましい。これによれば、魚を釣り上げたあと、魚がルアー全体を飲み込んだ状態においても、ルアーの前部の流線形に沿って魚の口内からルアーを取り外し易くなる。
【００１５】
また、前記突条部材は、それぞれルアー本体の後部において螺旋状に設けられてもよい。これによれば、螺旋状の突条部材によりルアーの回りにおいて水流が変化し得るため、水中でのルアーの動きに変化をつけることができ、またデザイン性も向上させることができる。
【００１６】
また、ルアーの最下部に位置する突条部材の前部が二股条に分かれる態様に形成され、それら二股状に分かれた突条部材間においてルアー本体が平面状に形成されていてもよい。これによれば、二股状に分かれた突条部材間におけるルアー本体の平面状に形成された部分が水を正面から受けるため、竿とリールの巻き動作によって水面上において小魚が跳ねているように動かすことができる。
【００１７】
また、前記ルアー本体部は、最前部において凹部が形成されてもよい。これによれば、ルアー本体の最前部が水の抵抗を受けることにより、水中においてルアーの前部付近で水しぶきが生じるため、小魚が活発的に泳いでいるように見せかけることができ、より一層魚をおびき寄せることが可能となる。
【００１８】
また、前記ルアー本体部と前記突条部材とは同じ材質で一体に製作されるものであってもよい。これによれば射出形成などにより突条部材をルアー本体とともに形成し易くなる。
【発明の効果】
【００１９】
本発明によれば、これによれば、魚がルアーに食らいついた際、魚は主にルアーの突条部材に接触することにより魚の口内とルアーと接触面積が小さくなり、魚の口内とルアーとの間の摩擦力を減少させることができる。
【００２０】
このため、竿の引きに合わせてルアーを魚の口内でスムーズに滑らせることができ、ルアーの釣針を魚の口内に確実に根深く引っ掛けることが可能となる。
【００２１】
また、ルアー本体の周面に突条部材が流線形をなして突出する様は従来のルアーの形状に比べて斬新であり外観の意匠性を向上させることが可能となる。
【００２２】
さらに、弱い力による竿の引きでルアーを魚の口内で滑らせることができることから、その分、釣糸を細くすることができる。このため、できるだけ細い釣糸で釣り上げること（ライトタックルと呼ばれる）に対してより良い記録を出すことが可能となる。
【発明を実施するための最良の形態】
【００２３】
［実施形態１］
次に本発明の一実施形態に係るルアーについて説明する。
【００２４】
図１は本実施形態に係るルアーの外観を示す（ａ）斜視図および（ｂ）正面図である。
【００２５】
このルアー（Ｒ）は、魚餌に外形を似せて形成したルアー本体（１）と、該ルアー本体（１）の周面に設けられた突条部材（２）と、該突条部材（２）に設けられた金属製の釣針（３）とを備えてなる。
【００２６】
このルアー（Ｒ）のサイズは魚によって種々に変更されるものであるが、例えばカジキは１６０ｍｍ〜２８０ｍｍの長さ、ろうにんあじは２５０ｍｍ〜２８０ｍｍの長さが採用されたりする。
【００２７】
前記ルアー本体（１）は、ＡＢＳ樹脂や発泡ウレタン等の合成樹脂、あるいは木材などの部材からなり、正面から見て逆五角形状に形成されている。表面には外形を魚やエビなどに似せるための模様や色彩が施されている。例えば、図１に示すように、頭部には目の模様（４）を施すとともに、頭部および胴体面に黄色の色彩を施すことなどが挙げられる。もちろん、模様や色彩はこれに限定されるものではなく、その他の模様や複数色の色彩を使用したりしてもよい。
【００２８】
前記突条部材（２）は、ルアー本体（１）の周面の頂点部おいて、最前部から最後部にかけてルアー本体（１）の長さ方向に沿って流線形に伸びる態様で突出するように設けられている。本実施形態では、厚み約１．５ｍｍ、長さ１８０ｍｍであって、最前部または最後部から中央部にかけてなだらかに高さが高くなり、中央部において最高さ６ｍｍ程となされている。
【００２９】
また、前記突条部材（２）は、ルアー本体（１）の周方向に一定間隔をあけて５条配置されており、各突条部材（２）の最前部と最後部は互いに溶接等により接続され、突条部材（２）がルアー本体（１）を覆うような態様となされている。このときルアー本体（１）の目の模様（４）が突条部材（２）の間から見えるのが好ましい。
【００３０】
また、前記突条部材（２）は、ステンレスやアルミニウム等の金属製の部材から構成される。このように突条部材（２）を金属製とすることにより、突条部の硬度が大きくなるために魚の口が突条部材（２）にも食い込むことも防止でき、魚の口内とルアー（Ｒ）との間の摩擦力をより一層減少させることができる。しかも、ルアー（Ｒ）が水中で動作しているときに、突条部材（２）が日光などを反射させるため、小魚がうろこをきらきらさせながら泳いでいるように見せかけることができる。
【００３１】
また、前記突条部材（２）は、それぞれ長さ方向に沿って複数の略長円状孔（２ａ）が形成されている。このように突条部材（２）に複数の略長円状孔（２ａ）を形成することにより、突条部材（２）のいずれの略長円状孔（２ａ）にも釣針（３）を連結し得るため、ルアー（Ｒ）の所望の位置に釣針（３）を配置することができる。しかも、釣針（３）がルアー（Ｒ）に揺動不可な状態で固定されると、ルアー（Ｒ）の重みや跳ね返りで釣針（３）が魚の口内から外れることがあるが、このように孔（２ａ）が略長円状に形成されているため、釣針（３）が魚の口内で揺動することにことにより不自然な力がかかることなく、魚の口内における釣針（３）の抜けを軽減することができる。
【００３２】
また、前記突条部材（２）は、それぞれ前部が流線形に形成されるとともに、最前部がルアー本体（１）の前部において互いに接合されている。これによれば、魚を釣り上げたあと、魚がルアー（Ｒ）全体を飲み込んだ状態においても、ルアー（Ｒ）の前部の流線形に沿って魚の口内から取り外し易くなる。
【００３３】
以上のようにルアー本体（１）の周面に複数の突条部材（２）を設けることによって、魚がルアー（Ｒ）に食らいついた際、魚は主にルアー（Ｒ）の突条部材（２）に接触することにより魚の口内とルアー（Ｒ）と接触面積が小さくなり、魚の口内とルアー（Ｒ）との間の摩擦力を減少させることができる。このため、竿の引きに合わせてルアー（Ｒ）を魚の口内でスムーズに滑らせることができ、釣針（３）を魚の口内に確実に根深く引っ掛けることができる。しかも、ルアー本体（１）の周面に突条部材（２）が流線形をなして突出する様は従来のルアーの形状に比べて斬新であり外観の意匠性を向上させることが可能となる。
【００３４】
［実施形態２］
次に本発明の第２の実施形態について説明する。
【００３５】
図２は、本実施形態に係るルアー（Ｒ）の突条部材（２）の骨格を示す斜視図である。
【００３６】
本実施形態では、突条部材（２）は、互いにルアー本体（１）の内部において接合されている。すなわち、各突条部材（２）における長円状の孔（２ａ）間の部分（２ｂ）が、ルアー本体（１）の中心部に向けて伸びる態様で形成されており、その先端部がそれぞれの突条部材（２）の先端部と溶接等により接続されている。なお、ルアー本体（１）はこの突条部材（２）の内側において所望の大きさおよび形状で設ければよい。
【００３７】
これによれば突条部材（２）全体の強度を向上させることができ、特に噛力の大きいカジキやろうにんあじなどの大型魚にも十分対応できる。しかも、突条部材（２）の内部においてルアー本体（１）を様々な大きさや形状で構成することができる。
【００３８】
［実施形態３］
次に本発明の第３の実施形態について説明する。
【００３９】
図３は、本実施形態に係るルアー（Ｒ）の外観を示す斜視図である。
【００４０】
本実施形態では、突条部材（２）は、それぞれルアー本体（１）の後部において螺旋状に設けられている。すなわち、各突条部材（２）はルアー本体（１）の最前部から中央部のやや後方にかけてはルアー本体（１）の中心軸に平行になるように設けられ、途中から最後部にかけてはルアー本体（１）の周方向にねじれるようにして螺旋状に設けられている。
【００４１】
これによれば、螺旋状の突条部材（２）によりルアー（Ｒ）の回りにおいて水流が変化し得るため、水中でのルアー（Ｒ）の動きに変化をつけることができ、またデザイン性も向上させることができる。
【００４２】
［実施形態４］
次に本発明の第４の実施形態について説明する。
【００４３】
図４は、本実施形態に係るルアー（Ｒ）の外観を示す底面図である。
【００４４】
本実施形態では、ルアー（Ｒ）の最下部に位置する突条部材（２）の前部が二股条に分かれる態様に形成されている。そして、それら二股状に分かれた突条部材（２）間においてルアー本体（１）が平面状に形成されている。
【００４５】
これによれば、二股状に分かれた突条部材（２）間におけるルアー本体（１）の平面状に形成された部分が水を正面から受けるため、竿とリールの巻き動作によって水面上において小魚が跳ねているように動かすことができる。
【００４６】
［実施形態５］
次に本発明の第５の実施形態について説明する。
【００４７】
図５は、本実施形態に係るルアー（Ｒ）の外観を示す斜視図である。
【００４８】
本実施形態では、ルアー本体（１）部は最前部において凹部（５）が形成されている。すなわちルアー本体（１）の最前部が欠けた状態となされ、その欠けた前面の中央部付近に凹部（５）が形成されている。
【００４９】
これはいわゆるホッパーと呼ばれるルアー（Ｒ）の形状と同じであり、ルアー本体（１）の最前部が水の抵抗を受けることにより、水中においてルアー（Ｒ）の前部付近で水しぶきが生じるため、小魚が活発的に泳いでいるように見せかけることができ、より一層魚をおびき寄せることが可能となる。
【００５０】
［実施形態６］
次に本発明の第６の実施形態について説明する。
【００５１】
図６は、本実施形態に係るルアー（Ｒ）の外観を示す（ａ）斜視図および（ｂ）正面図である。
【００５２】
本実施形態では、ルアー本体（１）と突条部材（２’）が同じ材質で一体に製作される。これによれば射出形成などにより突条部材（２’）をルアー本体（１）とともに形成し易くなる。この場合、魚の口が突条部材（２’）に食い込むことをできるだけ防ぐために、ルアー（Ｒ）の材質は硬度の高い樹脂や金属で形成するのが好ましい。
【００５３】
なお、上記いずれの実施形態についても、ルアー本体（１）や突条部材（２）の形状、大きさ、材質に限定されるものではなく、その他のものに種々設計変更可能である。
【００５４】
また、突条部材（２）はルアー本体（１）の最前部から最後部にかけて長さ方向に沿って設けるものとしたが、ルアー本体（１）の最前部から中央部、中央部から最後部、中央部のみなどというように、ルアー本体（１）の一部のみにおいて長さ方向に沿って設けるものとしてもよい。但し、あまり突条部材（２）の長さが短かすぎるとその効果が小さくなるため、効果を損なわない程度の長さにする必要がある。
【００５５】
また、突条部材（２）は５条設けるものとしたが、その他の条数であってもよい。なお、小さいルアー（Ｒ）の場合には２〜３条設ければ十分な場合が多い。
【００５６】
また、釣針（３）は突条部材（２）に設けるものとしたが、ルアー本体（１）に直接設けるものとしてもよい。
【図面の簡単な説明】
【００５７】
【図１】本発明の一実施形態に係るルアーの外観を示す斜視図と正面図である。
【図２】第２の実施形態に係るルアーの突条部材の骨格を示す斜視図である
【図３】第３の実施形態に係るルアーの外観を示す斜視図である。
【図４】第４の実施形態に係るルアーの外観を示す底面図である。
【図５】第５の実施形態に係るルアーの外観を示す斜視図である。
【図６】第５の実施形態に係るルアーの外観を示す斜視図と正面図である。
【符号の説明】
【００５８】
１・・・ルアー本体
２・・・突条部材
２ａ・・・略長円状孔
３・・・釣針
４・・・目の模様
【図１】
2008263911.tif 000003
【図２】
2008263911.tif 000004
【図３】
2008263911.tif 000005
【図４】
2008263911.tif 000006
【図５】
2008263911.tif 000007
【図６】
2008263911.tif 000008